(57)【要約】      （修正有）【課題】時間と手間をかけずに指導を必要とする箇所を探し出すことができるデータ管理プログラム及びデータ管理装置を提供する。【解決手段】記録手段、ＲＡＭ１０２、ハードディスク１０３１と液晶表示装置１２０とを有するノートパソコン１０内で実行され、記録開始信号と操作に基づく記録データと音声を表す音声データとが入力されるノートパソコンをデータ管理装置として動作させるデータ管理プログラムにおいて、ノートパソコン上に、記録開始信号が入力されてから入力された記録データと、期間長が予め決められた、記録開始信号が入力されてからの入力待ち期間内に入力が開始された音声データを関連付けてＲＡＭ１０２、ハードディスク１０３１に記録させる記録制御手段ＣＰＵ１０１と、ＲＡＭ１０２、ハードディスク１０３１に記録された記録データに基づく情報を表示手段１２０に表示させる表示制御手段ＣＰＵ１０１とを構築する。【選択図】図２
2016058112.tif 000002
【特許請求の範囲】
【請求項１】
記録手段と表示手段とを有するコンピュータ内で実行され、記録開始信号と操作に基づく記録データと音声を表す音声データとが入力される該コンピュータをデータ管理装置として動作させるデータ管理プログラムにおいて、
前記コンピュータ上に、
前記記録開始信号が入力されてから入力された記録データと、期間長が予め決められた、該記録開始信号が入力されてからの入力待ち期間内に入力が開始された音声データを関連付けて前記記録手段に記録させる記録制御手段と、
前記記録手段に記録された記録データに基づく情報を前記表示手段に表示させる表示制御手段とを構築することを特徴とするデータ管理プログラム。
【請求項２】
前記記録制御手段は、音声記録開始信号が入力されると、音声データの記録を開始し、所定時間の間、次の音声記録開始信号が入力されるまで、該音声データの記録を継続し、該音声データの記録中に、次の音声記録開始信号の入力があった場合には、該音声データの記録を終了し、該次の音声記録開始信号の入力があってからの音声データの記録を新たに開始し、該音声データの記録を新たに開始した以降に入力された記録データと、新たに記録を開始した音声データを関連付けて前記記録手段に記録させるものであることを特徴とする請求項１記載のデータ管理プログラム。
【請求項３】
前記記録制御手段は、前記記録手段に記録されている記録データのランク付けを表すランク情報が入力されると、該記録手段に記録されている記録データに該ランク情報を関連付けて該ランク情報を前記記録手段に記録させるものであることを特徴とする請求項１又は２記載のデータ管理プログラム。
【請求項４】
前記表示制御手段は、前記記録開始信号が入力されてから次の前記記録開始信号が入力されるまでの間に入力された記録データに基づく情報を、該記録データに関連付けられた前記音声データも該記録手段に記録されている場合には、該音声データが記録されていることを表す音声表示を含めて前記表示手段に表示させるものであることを特徴とする請求項１から３のうちいずれか１項記載のデータ管理プログラム。
【請求項５】
前記表示制御手段は、前記記録開始信号が入力されてから次の前記記録開始信号が入力されるまでの間に入力された記録データに基づく情報に前記音声表示を含めた一行の表示を前記表示手段に行わせるものであることを特徴とする請求項４記載のデータ管理プログラム。
【請求項６】
前記記録制御手段が、前記記録データと前記音声データを関連付けて前記記録手段に記録させるにあたり、前記記録開始信号が入力された入力タイミングを表すタイミング情報も併せて該記録手段に記録させるものであり、
前記表示制御手段が、前記記録手段に記録された、前記入力タイミングが異なる複数の記録データに基づくタイミング別情報を、時系列に並べて前記表示手段に表示させるものであることを特徴とする請求項１から５のうちいずれか１項記載のデータ管理プログラム。
【請求項７】
前記記録制御手段が、同期ポイントを表すデータも前記記録手段に記録させるものであり、
前記表示制御手段が、前記同期ポイントも含めて時系列に前記タイミング別情報を並べたログ表示と、該同期ポイントの場面が撮影されている動画の動画表示とを、該ログ表示における同期ポイントと該動画表示の動画における同期ポイントを同期させて前記表示手段に表示させるものであることを特徴とする請求項６記載のデータ管理プログラム。
【請求項８】
前記記録制御手段が、複数の同期ポイントを表すデータも前記記録手段に記録させるものであり、
前記表示制御手段が、前記複数の同期ポイントも含めて時系列に前記タイミング別情報を並べたログ表示と、前記複数の同期ポイントそれぞれの場面が撮影されている複数の動画のうちの少なくとも一つの動画の動画表示とを、該ログ表示における同期ポイントと該動画表示の動画における同期ポイントを同期させて前記表示手段に表示させるものであることを特徴とする請求項６記載のデータ管理プログラム。
【請求項９】
記録開始信号と、操作に基づく記録データとを入力する操作手段、
音声を表す音声データを入力する音声入力手段、
前記操作手段から入力された記録データと、前記音声入力手段から入力された音声データとが記録される記録手段、
前記記録手段に記録された記録データに基づく情報を表示する表示手段、および
前記記録開始信号が入力されてから次の記録開始信号が入力されるまでの間に入力された記録データと、期間長が予め決められた、該記録開始信号が入力されてからの入力待ち期間内に入力が開始された音声データを関連付けて前記記録手段に記録させる記録制御手段を備えたことを特徴とするデータ管理装置。
【発明の詳細な説明】
【技術分野】
【０００１】
本発明は、記録手段と表示手段とを有するコンピュータ内で実行され、記録開始信号と操作に基づく記録データと音声を表す音声データとが入力される該コンピュータをデータ管理装置として動作させるデータ管理プログラム、およびそのデータ管理装置に関する。
【背景技術】
【０００２】
例えば、スポーツ競技の選手や審判員、複雑な加工作業を行う熟練作業員、手術を執刀する外科医など、高度な技能が要求される者は、技能を習得する過程において、経験者や上級者による指導が必要である。指導者と習得者のコミュニケーションが円滑に進めば、習得者の技能は著しく向上するが、指導者の意図するところを習得者に適切に伝えるためには、意思疎通や相互理解が不可欠であり、双方に高いコミュニケーション能力が要求される。
【０００３】
指導者が習得者を指導する場合、まず、習得者に実技を行わせ、指導者が習得者の実技を観察して、指導者が気づいたことを、メモをとったり、頭の中に記憶しておき、実技終了後に、メモを見たり記憶を頼りに、習得者に指導内容を伝えることがある。ところが、メモをとるのに十分な時間がなかったり、記載漏れが生じてしまうことがある。また、人の記憶では曖昧な部分がどうしても生じてしまう。そのため、メモをとったり、頭の中に記憶しておくだけでは、正確かつ十分な指導を行うには限界がある。
【０００４】
そこで、ビデオカメラで撮影した映像と、そのビデオカメラとは別にマイクから入力した音声を記録しておくことが提案されている（例えば、特許文献１等参照）。この特許文献１に開示された技術では、映像を主情報とし、その映像が記録されているビデオテープに、音声を補助情報として、主情報に同期させて一緒に記録する。
【０００５】
特許文献１に開示された技術では、ビデオテープを最初から再生し、習得者と一緒に映像を最後まで総て見ながら指導を行う場合には、主情報と補助情報によって正確かつ十分な指導を行うことが期待できる。
【先行技術文献】
【特許文献】
【０００６】
【特許文献１】特開２００１−１０３４１２号公報
【発明の概要】
【発明が解決しようとする課題】
【０００７】
しかしながら、指導等の説明を必要とする箇所をピンポイントで指定して、飛び飛びで説明を行いたい場合に、その箇所を探し出すのに時間と手間を要する。
【０００８】
本発明は上記事情に鑑み、時間と手間をかけずに説明を必要とする箇所を探し出すことができるデータ管理プログラム、およびデータ管理装置を提供する。
【課題を解決するための手段】
【０００９】
上記目的を解決する本発明のデータ管理プログラムは、記録手段と表示手段とを有するコンピュータ内で実行され、記録開始信号と操作に基づく記録データと音声を表す音声データとが入力される該コンピュータをデータ管理装置として動作させるデータ管理プログラムにおいて、
前記コンピュータ上に、
前記記録開始信号が入力されてから入力された記録データと、期間長が予め決められた、該記録開始信号が入力されてからの入力待ち期間内に入力が開始された音声データを関連付けて前記記録手段に記録させる記録制御手段と、
前記記録手段に記録された記録データに基づく情報を前記表示手段に表示させる表示制御手段とを構築することを特徴とする。
【００１０】
本発明のデータ管理プログラムによれば、記録データと関連付けられる音声データの入力開始タイミングは、期間長が予め決められた入力待ち期間で管理される。このため、記録データと音声データとの時間的ズレが抑えられ、上記表示手段に表示される、記録データに基づく情報を見ていけば、指導等の説明を必要とする箇所を容易に短時間で探し出すことができる。
【００１１】
なお、前記記録データは、文字、数字又は記号を表すテキストデータであってもよい。また、ここにいう「関連付けて記録させる」とは、一つのまとまった記録領域に記録データと音声データを記録させることであってもよいし、記録データの記録領域と音声データの記録領域とが異なっていても、両者の記録領域のアドレスを関連付けて記録させることであってもよい。
【００１２】
また、本発明のデータ管理プログラムにおいて、前記記録制御手段は、音声記録開始信号が入力されると、音声データの記録を開始し、所定時間の間、次の音声記録開始信号が入力されるまで、該音声データの記録を継続し、該音声データの記録中に、次の音声記録開始信号の入力があった場合には、該音声データの記録を終了し、該次の音声記録開始信号の入力があってからの音声データの記録を新たに開始し、該音声データの記録を新たに開始した以降に入力された記録データと、新たに記録を開始した音声データを関連付けて前記記録手段に記録させるものであってもよい。
【００１３】
なお、前記記録制御手段が、前記入力待ち期間を越えてから入力された音声データを、該入力待ち期間を越えてから入力された記録データと関連付けて前記記録手段に記録させるものであってもよい。ここで、音声データと記録データはどちらが先に入力され始めてもよい。例えば、音声データが入力され始めた後から記録データが入力されてもよいし、記録データが入力された後から音声データが入力され始めてもよい。あるいは、音声データと記録データが同時に入力され初めてもよい。
【００１４】
さらに、本発明のデータ管理プログラムにおいて、前記記録制御手段は、前記記録手段に記録されている記録データのランク付けを表すランク情報が入力されると、該記録手段に記録されている記録データに該ランク情報を関連付けて該ランク情報を前記記録手段に記録させるものであってもよい。
【００１５】
例えば、ビデオを見せながら必ず指導、ビデオを見せなくてもいいから必ず指導、時間があれば指導といったランク付けを表すランク情報を、記録データに関連付けて記録させておくことで、指導時間に制限がある場合や、指導すべき箇所の数が多い場合等には、有効な指導を行うことができる。
【００１６】
なお、ここにいう「関連付けて該ランク情報を前記記録手段に記録させる」とは、一つのまとまった記録領域に記録データとランク情報を記録させることであってもよい。すなわち、前記記録制御手段は、前記記録制御手段が記憶している記録データに前記ランク入力手段から入力されたランク情報を含めて該記録データを再記録させるものであってもよい。あるいは、記録データの記録領域とランク情報の記録領域とが異なっていても、両者の記録領域のアドレスを関連付けて記録させることであってもよい。
【００１７】
また、本発明のデータ管理プログラムにおいて、前記表示制御手段は、前記記録開始信号が入力されてから次の前記記録開始信号が入力されるまでの間に入力された記録データに基づく情報を、該記録データに関連付けられた前記音声データも該記録手段に記録されている場合には、該音声データが記録されていることを表す音声表示を含めて前記表示手段に表示させる態様であってもよい。
【００１８】
この態様によれば、音声データの有無が一目瞭然となり好ましい。
【００１９】
なお、前記音声表示は、図形であってもよいし、前記記録データに基づく情報の表示を囲む枠であってもよいし、前記音声データが該記録手段に記録されていない場合の文字、数字又は記号の表示色とは異なる表示色による、前記記録データに基づく情報の表示であってもよいし、該音声データが該記録手段に記録されていない場合の背景色とは異なる背景色による、前記記録データに基づく情報の表示であってもよい。
【００２０】
また、本発明のデータ管理プログラムにおいて、前記表示制御手段は、前記記録開始信号が入力されてから次の前記記録開始信号が入力されるまでの間に入力された記録データに基づく情報に前記音声表示を含めた一行の表示を前記表示手段に行わせるものであってもよい。
【００２１】
こうすることで、記録データを見やすくすることができる。
【００２２】
なお、ここにいう一行とは、横の行であってもよいし、縦の行であってもよい。
【００２３】
また、本発明のデータ管理プログラムにおいて、前記記録制御手段が、前記記録データと前記音声データを関連付けて前記記録手段に記録させるにあたり、前記記録開始信号が入力された入力タイミングを表すタイミング情報も併せて該記録手段に記録させるものであり、
前記表示制御手段が、前記記録手段に記録された、前記入力タイミングが異なる複数の記録データに基づくタイミング別情報を、時系列に並べて前記表示手段に表示させるものであってもよい。
【００２４】
こうすることで、記録データをより見やすくすることができる。
【００２５】
なお、前記タイミング情報は、例えば、チェックボタンが押下された時刻を表す情報に相当し、音声ボタンが押下された時刻を表す情報に相当する場合もある。
【００２６】
また、本発明のデータ管理プログラムにおいて、前記記録制御手段が、同期ポイントを表すデータも前記記録手段に記録させるものであり、
前記表示制御手段が、前記同期ポイントも含めて時系列に前記タイミング別情報を並べたログ表示と、該同期ポイントの場面が撮影されている動画の動画表示とを、該ログ表示における同期ポイントと該動画表示の動画における同期ポイントを同期させて前記表示手段に表示させるものであってもよい。
【００２７】
こうすることで、上記ログ表示を見ながら上記動画再生に切り換える、あるいはその逆に、上記動画再生を見ながら上記ログ表示に切り換えることができる。
【００２８】
なお、同期ポイントを表すデータとは、事象（例えば、試合）が開始されたタイミングを表すデータであってもよい。
【００２９】
さらに、本発明のデータ管理プログラムにおいて、前記記録制御手段が、複数の同期ポイントを表すデータも前記記録手段に記録させるものであり、
前記表示制御手段が、前記複数の同期ポイントも含めて時系列に前記タイミング別情報を並べたログ表示と、前記複数の同期ポイントそれぞれの場面が撮影されている複数の動画のうちの少なくとも一つの動画の動画表示とを、該ログ表示における同期ポイントと該動画表示の動画における同期ポイントを同期させて前記表示手段に表示させるものであってもよい。
【００３０】
このようにして上記ログ表示と上記動画表示が同期されることにより、例えば、上記ログ表示における上記タイミング別情報が指定されると、動画における、指定されたタイミング別情報の上記入力タイミングと同タイミングの場面が上記表示手段に表示されたり、あるいは、動画の表示が進むにつれて到来するタイミングが上記入力タイミングになると、該入力タイミングのタイミング別情報の表示が、他のタイミング別情報の表示とは識別可能に上記表示手段に表示されたりする。
【００３１】
また、上記表示制御手段が、上記複数の動画それぞれにおける同期ポイントを同期させるものであってもよい。こうすることで、例えば、同一タイミングに別角度から撮影した複数の動画それぞれが同期した状態で上記表示手段に一緒に表示される。
【００３２】
上記目的を解決する本発明のデータ管理装置は、記録開始信号と、操作に基づく記録データとを入力する操作手段、
音声を表す音声データを入力する音声入力手段、
前記操作手段から入力された記録データと、前記音声入力手段から入力された音声データとが記録される記録手段、
前記記録手段に記録された記録データに基づく情報を表示する表示手段、および
前記記録開始信号が入力されてから次の記録開始信号が入力されるまでの間に入力された記録データと、期間長が予め決められた、該記録開始信号が入力されてからの入力待ち期間内に入力が開始された音声データを関連付けて前記記録手段に記録させる記録制御手段を備えたことを特徴とする。
【００３３】
本発明のデータ管理装置によっても、上記表示手段に表示される、記録データに基づく情報を見ていけば、指導等の説明を必要とする箇所を容易に短時間で探し出すことができる。
【００３４】
なお、上記操作手段は、操作に応じて記録開始信号を入力する開始信号入力手段を有するものであってもよい。開始信号入力手段は、チェックボタンであってもよいし、音声ボタンである場合もある。例えば、入力待ち期間を経過した後に音声ボタンが押下された場合には、記録開始信号が入力されることになる。
【００３５】
上記操作手段は、操作に応じて上記同期ポイントを表すデータを入力する同期ポイント入力手段を有するものであってもよい。この同期ポイント入力手段としては、例えば、前半ボタン、後半ボタン、延長前半ボタン、延長後半ボタンが一例としてあげられる。
【００３６】
ここで、本発明のデータ管理装置において、前記記録制御手段は、音声記録開始信号が入力されると、音声データの記録を開始し、所定時間の間、次の音声記録開始信号が入力されるまで、該音声データの記録を継続し、該音声データの記録中に、次の音声記録開始信号の入力があった場合には、該音声データの記録を終了し、該次の音声記録開始信号の入力があってからの音声データの記録を新たに開始し、該音声データの記録を新たに開始した以降に入力された記録データと、新たに記録を開始した音声データを関連付けて前記記録手段に記録させるものであってもよい。
【００３７】
なお、前記記録制御手段が、前記入力待ち期間を越えてから入力された音声データを、該入力待ち期間を越えてから入力された記録データと関連付けて前記記録手段に記録させるものであってもよい。
【００３８】
また、本発明のデータ管理装置において、前記操作手段が、前記記録手段に記録された記録データのランク付けを表すランク情報を入力するランク入力手段を有するものであり、
前記記録制御手段は、前記記録手段に記録されている記録データに前記ランク入力手段から入力されたランク情報を関連付けて該ランク情報を前記記録手段に記録させるものであってもよい。
【００３９】
また、本発明のデータ管理装置において、前記記録開始信号が入力されてから次の前記記録開始信号が入力されるまでの間に入力された記録データに基づく情報を、該記録データに関連付けられた前記音声データも該記録手段に記録されている場合には、該音声データが記録されていることを表す音声表示を含めて前記表示手段に表示させる表示制御手段を備えた態様であってもよい。
【００４０】
また、本発明のデータ管理装置において、前記表示制御手段は、前記記録開始信号が入力されてから次の前記記録開始信号が入力されるまでの間に入力された記録データに基づく情報に前記音声表示を含めた一行の表示を前記表示手段に行わせるものであってもよい。
【００４１】
また、本発明のデータ管理装置において、前記記録制御手段が、前記記録データと前記音声データを関連付けて前記記録手段に記録させるにあたり、前記記録開始信号が入力された入力タイミングを表すタイミング情報も併せて該記録手段に記録させるものであり、
前記表示制御手段が、前記記録手段に記録された、前記入力タイミングが異なる複数の記録データに基づくタイミング別情報を、時系列に並べて前記表示手段に表示させるものであってもよい。
【００４２】
また、本発明のデータ管理装置において、前記記録制御手段が、同期ポイントを表すデータも前記記録手段に記録させるものであり、
前記表示制御手段が、前記同期ポイントも含めて時系列に前記タイミング別情報を並べたログ表示と、該同期ポイントの場面が撮影されている動画の動画表示とを、該ログ表示における同期ポイントと該動画表示の動画における同期ポイントを同期させて前記表示手段に表示させるものであってもよい。
【００４３】
さらに、本発明のデータ管理装置において、前記記録制御手段が、複数の同期ポイントを表すデータも前記記録手段に記録させるものであり、
前記表示制御手段が、前記複数の同期ポイントも含めて時系列に前記タイミング別情報を並べたログ表示と、前記複数の同期ポイントそれぞれの場面が撮影されている複数の動画のうちの少なくとも一つの動画の動画表示とを、該ログ表示における同期ポイントと該動画表示の動画における同期ポイントを同期させて前記表示手段に表示させるものであってもよい。
【発明の効果】
【００４４】
本発明によれば、時間と手間をかけずに説明を必要とする箇所を探し出すことができるデータ管理プログラム、およびデータ管理装置を提供することができる。
【図面の簡単な説明】
【００４５】
【図１】本発明のデータ管理装置の一実施形態を示す図である。
【図２】図１に外観を示すノートパソコンのハードウェア構成図である。
【図３】本発明のデータ管理プログラムの一実施形態に相当するデータ管理プログラムの概要を示す模式図である。
【図４】図１に示すデータ管理装置の機能ブロック図である。
【図５】図３に示すデータ管理プログラムがインストールされ、そのプログラムが実行されているノートパソコンにおける表示画面の一例を示す図である。
【図６】図１に示す専用入力キーボードの拡大図である。
【図７】観察記録ボタンウィンドゥが表示されていた領域に、観察ポイントウィンドゥＷ４が表示された様子を示す図である。
【図８】チェックボタンと音声ボタンの操作タイミングの例を示す図である。
【図９】チェックボタンと音声ボタンの操作タイミングの他の例を示す図である。
【図１０】（ａ）は、表示画面に表示されたログ表示の一例を示す図であり、（ｂ）は、「ランク」や「メモ」を入力する表示画面を示す図である。
【図１１】図２に示すＣＰＵによって実行されるデータ管理プログラムのメイン処理の流れを示すフロチャートである。
【図１２】本実施形態のデータ管理プログラムにおける動画同期処理のフローチャートを示す図である。
【図１３】時刻関連付け処理が行われる前と後の表示画面の様子を示す図である。
【図１４】図１２に示すステップＳ２０８の同期表示処理の流れを示すフローチャートである。
【発明を実施するための形態】
【００４６】
以下、図面を参照して本発明の実施の形態を説明する。
【００４７】
図１は、本発明のデータ管理装置の一実施形態を示す図である。
【００４８】
図１に示すデータ管理装置１は、ノート型のパーソナルコンピュータ（以下、ノートパソコンと称する）１０と、マイクロフォン２０と、専用入力キーボード３０で構成されいる。図１に示すノートパソコン１０は、外観構成上、本体部１１と、画像表示部１２とからなるものであり、画像表示部１２は、本体部１１の上面１１ａを覆うように折り畳たまれる。図１には、画像表示部１２を開いた状態が示されている。この画像表示部１２には、本体部１１からの指示に応じて表示画面１２１上に画像を表示する液晶表示装置が内蔵されている。本体部１１の上面１１ａには、キー操作に応じた各種の情報を入力するキーボード１３、および、表示画面１２１上の任意の位置を指定することにより、その位置に表示されたポインタやアイコン等に応じた指示を入力するポインティングデバイス１４が設けられている。また、本体部１１の前面１１ｂの左右それぞれには、スピーカ１５１，１５２が設けられるとともに、これらのスピーカ１５１，１５２の間には、スピーカ１５１，１５２の音量を調整するボリューム調整操作子１５３が設けられている。また、外部接続されるマイクロフォンからの音声信号が入力されるマイクロフォンジャック１５４や、同じく外部接続されるヘッドフォンに音声信号を出力するヘッドフォンジャック１５５も設けられており、図１に示すマイクロフォン２０は、マイクロフォンジャック１５４に接続されている。また、専用入力キーボード３０は、ノートパソコン１０の本体部１１の左側面１１ｃに設けられた、ユニバーサル・シリアル・バス（以下、ＵＳＢと称する）規格に準拠したＵＳＢポート１１０１（図２参照）に接続されている。さらに、その左側面１１ｃには、ＣＤ−ＲＯＭやＤＶＤ−ＲＯＭを装填するためのＣＤ／ＤＶＤ−ＲＯＭディスク装填口、および１５本のメス型コンタクトで構成され映像信号が出力される映像信号用コネクタ１１１１（図２参照）が設けられている。
【００４９】
一方、本体部１１の右側面１１ｄには、ＳＤカード（登録商標）が取出し自在に挿入される記録メディア挿入口１０８１が設けられている。ここで、この図１には、データ管理装置１の他に、ビデオカメラ５も示されている。図１に示すビデオカメラ５は、記録メディアとして、例えば、ＳＤカード（登録商標）（以下、記録カードと称する）９１に撮影動画を記録するものであり、記録メディア挿入口１０８１に記録カード９１を挿入すれば、記録カード９１に記録された撮影動画を、ノートパソコン１０に取り込むことができるようになる。
【００５０】
さらに、本体部１１の右側面１１ｄには、商用電源から電力を供給するＡＣアダプタ（図示せず）のコネクタが差し込まれるＤＣ電源接続端子１５６が設けられている。なお、図１に示すノートパソコン１０にはバッテリ（図示せず）が内蔵されており、このノートパソコン１０は、そのバッテリによっても動作するが、ＡＣアダプタのコネクタをＤＣ電源接続端子に差し込むことにより商用電源から供給された電力によって動作する。
【００５１】
また、本体部１１の後面１１ｅには、いずれも図示されていないが、ＩＥＥＥ１３９４ポート、ＲＪ４５イーサネット（登録商標）ポート、および左側面１１ｃに設けられたＵＳＢポート１１０１とは別に２つのＵＳＢポート１１０２，１１０３（図２参照）が設けられている。
【００５２】
図２は、図１に外観を示すノートパソコンのハードウェア構成図である。
【００５３】
図１に示すノートパソコン１０の内部には、図２に示すように、ＣＰＵ１０１、ＲＡＭ１０２、ハードディスクコントローラ１０３、ディスプレイコントローラ１０４、サウンドコントローラ１０５、キーボードコントローラ１０６、ポインティングデバイスコントローラ１０７、ＣＤ／ＤＶＤ−ＲＯＭドライバ１０８、記録メディアドライバ１０９、ＵＳＢホストコントローラ１１０、および各種通信ボード１１１がバス１００で相互に接続されている。
【００５４】
ＣＰＵ１０１は、各種プログラムを実行するものである。ハードディスクコントローラ１０３は、ハードディスク１０３１をアクセスするものである。ハードディスク１０３１には、各種プログラムやデータが記憶されており、ＲＡＭ１０２には、そのハードディスク１０３１に格納されたプログラムやデータが読み出されＣＰＵ１０１での実行のために展開される。ハードディスク１０３１には、ＯＳ（Ｏｐｅｒａｔｉｎｇ    Ｓｙｓｔｅｍ）としてマイクロソフト社のＷｉｎｄｏｗｓ（登録商標）がインストールされている。
【００５５】
ディスプレイコントローラ１０４は、図１に示す画像表示部１２に内蔵された液晶表示装置１２０を制御するものである。サウンドコントローラ１０５は、図１に示すスピーカ１５１，１５２に音声信号を出力する。また、このサウンドコントローラ１０５には、図１に示すマイクロフォンジャック１５４や、ヘッドフォンジャック１５５が接続されており、音声信号の入出力が行われる。キーボードコントローラ１０６は、図１に示すキーボード１３からの入力を受け付けるものであり、ポインティングデバイスコントローラ１０７は、同じく図１に示すポインティングデバイス１４からの入力を受け付けるものである。
【００５６】
ＣＤ／ＤＶＤ−ＲＯＭドライバ１０８は、ＣＤ／ＤＶＤ−ＲＯＭディスク装填口に装填されたＣＤ−ＲＯＭ９１１やＤＶＤ−ＲＯＭ９１２をアクセスするものである。記録メディアドライバ１０９は、図１に示す記録メディア挿入口１０８１に挿入された記録カード９１をアクセスするものである。
【００５７】
図１に示す本体部１１の右側面１１ｄに設けられたＵＳＢポート１１０１や、本体部１１の後面１１ｅに設けられたＵＳＢポート１１０２，１１０３は、ＵＳＢホストコントローラ１１０につながっている。これらのＵＳＢポート１１０１，１１０２，１１０３に接続されたＵＳＢデバイス（例えば、図１に示す専用入力キーボード３０）には、デバイスを識別するための識別情報が用意されている。ＵＳＢデバイスとノートパソコン１０の接続の際には、ノートパソコン１０内のＯＳが、この識別情報を読み取り、その識別情報に対応した情報ファイルを検索し、その情報ファイルで指定されたデバイスドライバ（周辺機器を管理制御するドライバ・ソフトウェア）をインストールし、ロードすることによってそのＵＳＢデバイスがノートパソコン１０の周辺装置として動作するようになる。
【００５８】
各種通信ボード１１１には、映像信号用コネクタ１１１１、ＩＥＥＥ１３９４ポート１１１２、およびＲＪ４５イーサネット（登録商標）ポート１１１３が接続している。
【００５９】
図３は、本発明のデータ管理プログラムの一実施形態に相当するデータ管理プログラムの概要を示す模式図である。
【００６０】
データ管理プログラムは、ＤＶＤ−ＲＯＭやＣＤ−ＲＯＭ、あるいはＵＳＢメモリに代表される固体記憶素子に記憶されてユーザに提供される。また、インターネットやＬＡＮに代表される電気通信網を介してユーザに提供されることもある。
【００６１】
本実施形態のデータ管理プログラム７０は、記録制御手段７１と、表示制御手段７２から構成されている。このデータ管理プログラム７０を構成する各構成要素７１，７２の作用については、以下に図４を用いて説明する、データ管理装置１の機能と合わせて説明する。
【００６２】
図４は、図１に示すデータ管理装置の機能ブロック図である。
【００６３】
データ管理装置１は、制御手段１０１０、記録手段１０２０、表示手段１０４０、操作手段１０６０、および音声入力手段１０９０を備えている。制御手段１０１０および記録手段１０２０は、処理部１０００に設けられており、制御手段１０１０には、記録制御手段１０１１と表示制御手段１０１２が設けられている。
【００６４】
ここで、この図４に示すデータ管理装置１の制御手段１０１０における各構成要素１０１１，１０１２と、図３に示すデータ管理プログラム７０における各構成要素７１，７２では、同じ名称のものは互いに対応している。すなわち、図４に示すデータ管理装置１の制御手段１０１０における各構成要素１０１１，１０１２は、ハードウェア（ＣＰＵ１０１）と、図３のデータ管理プログラム７０であるソフトウェアの組合せであるのに対し、図３に示すデータ管理プログラム７０の各構成要素７１，７２はハードウェアとソフトウェアのうちのソフトウェア（アプリケーションプログラム）のみで構成されている。したがって、以下では、図４に示す、記録制御手段１０１１および表示制御手段１０１２を説明することで、図３に示す記録制御手段７１および表示制御手段７２の説明も兼ねるものとする。
【００６５】
記録手段１０２０にはＲＡＭ１０２およびハードディスク１０３１が相当し、表示手段１０４０には液晶表示装置１２０が相当する。また、音声入力手段１０９０にはマイクロフォン２０が相当し、処理部１０００には、音声入力手段１０９０から、音声を表す音声データが入力される。
【００６６】
また、図４に示す操作手段１０６０には、チェック入力手段１０６１、ランク入力手段１０６２、同期付け手段１０６３、およびデータ選択手段１０６４が設けられている。この操作手段１０６０には、図１に示すキーボード１３、ポインティングデバイス１４、あるいはＵＳＢポート１１０１（図２参照）に接続された専用入力キーボード３０等の入力デバイスが相当する。処理部１０００には、操作手段１０６０から、記録データの他、チェックオン信号等の各種の信号や情報が入力される。記録データは、操作手段１０６０の操作に基づくデータであり、文字、数字又は記号を表すテキストデータである。チェックオン信号は、チェック入力手段１０６１が操作されたタイミングで処理部１０００に送信される信号であり、記録開始信号に相当する。記録制御手段１０１１は、処理部１０００にチェックオン信号が入力されてから入力された記録データと、入力待ち期間内に入力された音声データを関連付けて記録手段１０２０に記録させる。すなわち、チェックオン信号が入力されると、ＲＡＭ１０２に、所定の記録領域（以下、テキスト記録領域という。）が確保され、その所定の記録領域に記録データが格納される。よりわかりやすく説明すれば、フォルダ内に、テキスト記録領域としての行が追加されていくイメージである。そして、後述する音声ボタンが押下されると、ＲＡＭ１０２に音声データの記録領域（以下、音声記録領域という。）が確保され、音声データは、その音声記録領域に格納される。音声データの記録可能時間は例えば、３０秒間であり、この時間長は、設定モードで変更可能である。テキスト記録領域のアドレスと音声記録領域のアドレスは関連付けて記録される。すなわち、テキスト記録領域のアドレスと音声記録領域のアドレスはリンクしている。なお、音声記録領域は、テキスト記録領域が設けられたフォルダと同じフォルダ内に設けられるものであってもよいし、異なるフォルダに設けられるものであってもよい。
【００６７】
制御手段１０１０は、チェックオン信号が入力されると、チェックオン信号が入力されてからの時間をカウントする。入力待ち期間とは、チェックオン信号が入力されてからの期間であって、その期間長は予め定められたものである（例えば、１５秒間）。なお、この期間長も、設定モードで変更可能である。
【００６８】
また、処理部１０００には、記録メディア挿入口１０８１に挿入された記録カード９１に記録された動画データも入力可能である。
【００６９】
図５は、図３に示すデータ管理プログラム７０がインストールされ、そのプログラムが実行されているノートパソコンにおける表示画面の一例を示す図である。
【００７０】
以下、サッカーの審判員の育成指導を例にあげて説明する。ここでは、指導者が、実際のサッカーの試合で審判を行う、主審、２名の副審、および第４審判員それぞれの行動を観察しながら、記録データや音声データを記録していく。また、図１に示すビデオカメラ５によって、各審判員の行動とともにサッカーの試合も録画されている。
【００７１】
図５に示す表示画面１２１の左側には、試合情報表示ウィンドゥＷ１とログウィンドゥＷ２が上下に表示されている。
【００７２】
試合情報表示ウィンドゥＷ１では、編集ボタンＷ１００にカーソルを合わせてクリックすると、対戦するチーム名を入力することができ、入力されたチーム名は、左側のＡチーム表示領域Ｗ１０１と右側のＢチーム表示領域Ｗ１０２それぞれに表示される。
【００７３】
また、試合情報表示ウィンドゥＷ１には、前半ボタンＷ１０３、後半ボタンＷ１０４、延長前半ボタンＷ１０５、延長後半ボタンＷ１０６、ＰＫボタンＷ１０７が横一列に表示されている。
【００７４】
さらに、試合情報表示ウィンドゥＷ１の下側には、経過時間表示領域Ｗ１０８と、タイマボタンＷ１０９が表示されている。
【００７５】
また、詳細については後述するが、ログウィンドゥＷ２には、記録データの履歴が時系列に表示される。
【００７６】
図５（ａ）には、サッカーの試合の開始前に表示される記録モードの開始画面が示されており、同図（ｂ）には、記録モードにおける記録中画面が示されている。
【００７７】
本実施形態のデータ管理プログラム７０では、記録データや音声データの記録は記録モードで行われる。なお、記録モードの他に、設定モード、編集モード、再生モードが用意されているが、まず、記録モードについて説明する。
【００７８】
表示画面１２１の左側に表示された試合情報表示ウィンドゥＷ１における、前半ボタンＷ１０３、後半ボタンＷ１０４、延長前半ボタンＷ１０５、延長後半ボタンＷ１０６、およびＰＫボタンＷ１０７は、サッカーの試合における一区切りの事象を特定する記録データを入力するためのボタンである。これらのボタンＷ１０３〜Ｗ１０７のいずれかにカーソルを合わせてクリックすると、クリックしてからの経過時間のカウントが開始され、試合情報表示ウィンドゥＷ１における経過時間表示領域Ｗ１０８には、クリックしてからの経過時間が表示される。また、クリックされたボタンは、終了ボタンに変化する。すなわち、図５（ｂ）は、前半ボタンＷ１０３がクリックされて記録中の画面であり、前半ボタンＷ１０３は前半終了ボタンＷ１０３’になっている。この前半終了ボタンＷ１０３’にカーソルを合わせてクリックすると、経過時間表示領域Ｗ１０８における経過時間のカウントが終了する。また、これらのボタンＷ１０３〜Ｗ１０７がクリックされると、ログウィンドゥＷ２中の「タスク」の欄には、クリックされた事象（例えば、「前半」）が表示されるとともに、「時間」の欄には、「０．０」が表示される。記録モードでは、指導者は、前半開始の笛の音と同時に前半ボタンＷ１０３をクリックし、記録データの入力を開始する。前半開始の笛の音と同時に前半ボタンＷ１０３をクリックしたことにより、ＲＡＭ１０２には同期ポイントを表すデータが記録される。ここにいう同期ポイントを表すデータとは、一連の事象（ここでは、観察対象となるサッカーの前半の試合）が開始されたタイミングを表すデータであって、「時間」の欄に、「０．０」として表示されるデータである。なお、試合情報表示ウィンドゥＷ１に設けられたタイマボタンＷ１０９にカーソルを合わせてクリックすると、クリックしてからの経過時間のカウントが開始され、クリックしてからの経過時間がタイマボタンＷ１０９の上に表示される。
【００７９】
また、記録モードでは、表示画面１２１の右側に、観察記録ボタンウィンドゥＷ３が表示される。この観察記録ボタンウィンドゥＷ３には、サッカーグラウンドを模した画像Ｗ３００が表示されており、その周囲に各種操作ボタンが表示されている。すなわち、左側には、上から、チェックボタンＷ３０１、重要ポイントボタンＷ３０２、ポイントボタンＷ３０３、音声ボタンＷ３０４が表示されている。
【００８０】
図６は、図１に示す専用入力キーボードの拡大図である。
【００８１】
この図６に示す専用入力キーボード３０では、一番上の横一列に、左側から、チェックボタンＫ１０１、重要ポイントボタンＫ１０２、ポイントボタンＫ１０３、音声ボタンＫ１０４が設けられている。専用入力キーボード３０は、いわゆるテンキーの各キーに、必要なボタンを割り当てたものであり、設定モードで各キーへのボタンの割り当ては変更可能である。
【００８２】
図５に示す観察記録ボタンウィンドゥＷ３上で、チェックボタンＷ３０１にカーソルを合わせてクリックするか、あるいは専用入力キーボード３０の左上隅のチェックボタンＫ１０１を押下すると、上述のチェックオン信号（記録開始信号）が制御手段１０１０に入力される。以下の説明では、表示画面１２１のウィンドゥ上で、各種ボタンにカーソルを合わせてクリックすることも、専用入力キーボード３０に設けられた各種ボタンを押下することも、区別せずに単に、ボタンを操作すると言う場合がある。
【００８３】
なお、図５に示す表示画面１２１では、表示された各種ボタンにカーソルを合わせてクリックしなければならないが、表示画面は、表示された各種ボタンに指やタッチペン等でタッチすることで操作が可能なタッチパネル式のものであってもよい。
【００８４】
上述の表示画面１２１における試合情報表示ウィンドゥＷ１の前半ボタンＷ１０３のクリックと同時に、ＲＡＭ１０２には、前半における記録データを記録するフォルダが作成され、以降、チェックボタンＷ３０１，Ｋ１０１が操作されるたびに、そのフォルダ内に、テキスト記録領域が追加されていく。すなわち、上述のごとく、チェックオン信号が制御手段１０１０に入力された以降、記録データをＲＡＭ１０２のテキスト記録領域に記録可能になる。チェックボタンＷ３０１，Ｋ１０１は、図４に示すチェック入力手段１０６１の一例に相当する。
【００８５】
また、ＲＡＭ１０２に上記フォルダ（ここでは前半における記録データを記録するフォルダ）が作成されると、図５（ｂ）に示すように、ログウィンドゥＷ２の右下には、データ記録中であることを表す「タスク：ＯＮ」とういう表示がなされる。なお、終了ボタン（ここでは前半終了ボタンＷ１０３’）がクリックされると、この表示は消える。
【００８６】
また、チェックオン信号が制御手段１０１０に入力されてから入力待ち期間が経過するまでに音声ボタンＷ３０４，Ｋ１０４が操作されると、最大３０秒の音声データが記録データと関連付けて記録される。
【００８７】
チェックボタンＷ３０１，Ｋ１０１が操作されると、ログウィンドゥＷ２には１行追加され、「時間」の欄には、チェックボタンＷ３０１，Ｋ１０１が操作された時の、試合情報表示ウィンドゥＷ１に表示されていた経過時間が表示される。
【００８８】
詳しくは後述するが、チェックボタンＷ３０１，Ｋ１０１を操作してから、チェックボタンＷ３０１，Ｋ１０１を再度操作すると、それまで記録されていたテキスト記録領域の記録データおよびその記録データに関連付けられた音声データはハードディスク１０３１に書き込まれ、ＲＡＭ１０２には、次のテキスト記録領域が用意される。また、入力待ち期間が経過した後に音声ボタンＷ３０４，Ｋ１０４が操作された場合にも、それまで記録されていたテキスト記録領域の記録データはハードディスク１０３１に書き込まれ、ＲＡＭ１０２には、次のテキスト記録領域が用意される。なお、次のテキスト記録領域を用意する代わりに、ハードディスク１０３１に書き込まれた記録データを削除して、これまで使用していたテキスト記録領域を再度使用するようにしてもよい。
【００８９】
サッカーグラウンドを模した画像Ｗ３００内の所望の位置にポインタを合わせ、クリックすると、記録データとして位置情報が記録される。また、重要ポイントボタンＷ３０２，Ｋ１０２は、後述する評価の結果が重要ポイントであることを表す記録データを入力するためのボタンである。ポイントボタンＷ３０３，Ｋ１０３は、後述する評価の結果が、重要ポイントよりは重要度が低いがポイントであることを表す記録データを入力するためのボタンである。
【００９０】
図５に示すサッカーグラウンドを模した画像Ｗ３００の上方には、左から、マルボタンＷ３０５、バツボタンＷ３０６、クエスチョンボタンＷ３０７がひとまとまりに表示されている。一方、図６に示す専用入力キーボード３０では、上から二番目の横一列に、左側から、マルボタンＫ１０５、バツボタンＫ１０６、クエスチョンボタンＫ１０７、訂正ボタンＫ１０８が設けられている。マルボタンＷ３０５，Ｋ１０５は、各審判員のとった行動等の評価の結果が良好な結果であることを表す記録データを入力するためのボタンである。バツボタンＷ３０６，Ｋ１０６は、その評価の結果が不良な結果であることを表す記録データを入力するためのボタンである。また、クエスチョンボタンＷ３０７，Ｋ１０７は、その評価自体が不明あるいは行うことができないことを表す記録データを入力するためのボタンである。これらのボタンＷ３０５〜Ｗ３０７，Ｋ１０５〜Ｋ１０７が操作されると、ログウィンドゥＷ２の「評価」の欄に操作に基づく評価の結果が表示される。図５（ｂ）に示す記録中の表示画面１２１において、ハイライト表示されている現在記録中の行では、「評価」の欄に「バツ印」と、重要ポイントであることを表す「重要Ｐ」という表示がなされている。
【００９１】
さらに、専用入力キーボード３０に用意された訂正ボタンＫ１０８は、一度入力した評価の結果（マル，バツ，クエスチョン等）を訂正するときに押下するボタンであり、この訂正ボタンＫ１０８が押下されると、直前に入力された評価の結果はＲＡＭ１０２のテキスト記録領域から削除される。
【００９２】
また、図５に示す観察記録ボタンウィンドゥＷ３では、マルボタンＷ３０５等のひとまとまりの下に、主審ボタンＷ３０８、副審１ボタンＷ３０９、副審２ボタンＷ３１０、および第４審判ボタンＷ３１１がひとまとまりに表示されている。一方、図６に示す専用入力キーボード３０では、上から三番目の横一列に、左側から、主審ボタンＷ３０８に対応するＲボタンＫ１０９、副審１ボタンＷ３０９に対応するＡ１ボタンＫ１１０、副審２ボタンＷ３１０に対応するＡ２ボタンＫ１１１、および第４審判ボタンＷ３１１に対応する４ｔｈボタンｋ１１２が設けられている。こららのボタンＷ３０８〜Ｗ３１１，Ｋ１０９〜Ｋ１１２が操作されると、対象となる審判員を特定する記録データが記録され、ログウィンドゥＷ２の「対象」の欄には、対象となる審判員が表示される。なお、図５（ｂ）に示す記録中の表示画面１２１におけるログウィンドゥＷ２の「時間」が「６：１４．０」の行には、「対象」の欄に「第４」が表示されているが、この表示は「第４審判」を表す表示である。
【００９３】
さらに、図５に示す観察記録ボタンウィンドゥＷ３の右側には、上から、テクニカルボタンＷ３１２、ポジショニングボタンＷ３１３、マネージメントボタンＷ３１４、コーポレーションボタンＷ３１５、パーソナリティボタンＷ３１６がひとまとまりに表示されている。一方、図６に示す専用入力キーボード３０では、上から四番目の横一列に、左側から、テクニカルボタンＫ１１３、ポジショニングボタンＫ１１４、マネージメントボタンＫ１１５、コーポレーションボタンＫ１１６が設けられ、テクニカルボタンＫ１１３の下にはパーソナリティボタンＫ１１７が設けられている。これらのボタンＷ３１２〜Ｗ３１６，Ｋ１１３〜Ｋ１１７が操作されると、審判員に対する指導の項目のジャンルを特定する記録データが記録され、ログウィンドゥＷ２の「項目」の欄には、指導の項目が表示される。なお、観察記録ボタンウィンドゥＷ３上では、パーソナリティボタンＷ３１６の下のボタンが一つ空いているが、これまで説明した観察記録ボタンウィンドゥＷ３上の各種のボタンを含めて、表示画面１２１上の各種のボタンは、設定モードで他のボタンに置き換えたり、ボタンを追加したり削除したりすることが可能である。
【００９４】
また、図５に示す観察記録ボタンウィンドゥＷ３では、主審ボタンＷ３０８等のひとまとまりの右横に、オフサイドボタンＷ３１７、ＦサポートボタンＷ３１８が表示されており、これらのボタンＷ３１７，Ｗ３１８の上には懲戒罰ボタンＷ３１９が表示されている。一方、図６に示す専用入力キーボード３０では、パーソナリティボタンＫ１１７の右横に、オフサイドボタンＫ１１８、ＦサポートボタンＫ１１９が設けられており、パーソナリティボタンＫ１１７の下に懲戒罰ボタンＫ１２０が設けられている。これらのボタンＷ３１７〜Ｗ３１９，Ｋ１１８〜Ｋ１２０は、反則行為に関するイベントを特定する記録データを入力するためのボタンである。なお、Ｆサポートとは、ファウルを主審が見落としたイベントのことであり、懲戒罰とは、イエローカードあるいはレッドカードを発行したイベントのことである。
【００９５】
ログウィンドゥＷ２の下方には、詳細チェックボックスＷ２０１と、縦方向拡大ボタンＷ２０２が用意されている。図５に示すログウィンドゥＷ２は、時系列に並べられた記録データの履歴のうちの左上の部分しか表示されておらず、詳細チェックボックスＷ２０１にカーソルを合わせてクリックしてチェックマークを入れると、ログウィンドゥＷ２が、表示画面１２１の横方向いっぱいまで拡がって表示される。また、縦方向拡大ボタンＷ２０２にカーソルを合わせてクリックすると、ログウィンドゥＷ２が、表示画面１２１の縦方向いっぱいまで拡がって表示される。図５に示すログウィンドゥＷ２には表示されていないが、右側にスクロールさせると、「イベント」、「場所」、「指導内容」、「音声メモ内容」、「ランク」の欄も用意されている。
【００９６】
さらに、ログウィンドゥＷ２の左端には音符のマークが記された欄が設けられており、図５（ｂ）では、「時間」が「２：４５．７」の行と、「４：０８．５」の行と、ハイライト表示されている現在記録中の行には、音符のマークが記された欄に四角形の印が表示されている。この四角形の印は、音声データが記録されていることを表す音声表示である。すなわち、「時間」が「２：４５．７」の行の記録データに関連付けられて音声データが記録されており、「４：０８．５」の行の記録データにも関連付けられて別の音声データが記録されており、現在記録中の行の記録データにもさらに別の音声データが関連付けられて記録されている最中である。
【００９７】
ログウィンドゥＷ２の下方に表示された縦方向拡大ボタンＷ２０２の右側には、音声メモ再生ボタンＷ２０３と音声メモ再生停止ボタンＷ２０４が用意されている。音符のマークが記された欄に四角形の印が表示された行にカーソルを合わせてクリックして指定した状態で、音声メモ再生ボタンＷ２０３にカーソルを合わせてクリックすると、その行の記録データに関連付けられて記録されている音声データに基づく音声が図１に示すスピーカ１５１，１５２から出力される。また、その音声が出力されている状態で、音声メモ再生停止ボタンＷ２０４にカーソルを合わせてクリックすると、音声の出力が停止する。
【００９８】
また、図６に示す専用入力キーボード３０では、懲戒罰ボタンＫ１２０の右横に、観察ポイント１ボタンＫ１２１と、観察ポイント２ボタンＫ１２２が設けられている。
【００９９】
図７は、観察記録ボタンウィンドゥが表示されていた領域に、観察ポイントウィンドゥＷ４が表示された様子を示す図である。
【０１００】
本実施形態のデータ管理プログラム７０では、審判員のレベルや課題に合わせて、観察ポイントを予め設定しておくことができる。観察ポイントの入力は、設定モードで行うことができる。
【０１０１】
図７に示す観察ポイントウィンドゥＷ４には、（１）〜（９）の観察ポイントが表示されている。設定モードにおける観察ポイントの設定時には、重要な観察ポイント、あるいはよく目に付きやすい観察ポイントほど、数字の小さい観察ポイントとして登録しておく。
【０１０２】
図６に示す観察ポイント１ボタンＫ１２１を押下すると、（１）の観察ポイントの具体的内容がＲＡＭ１０２にテキスト情報として記録され、観察ポイント２ボタンＫ１２２を押下すると、（２）の観察ポイントの具体的内容がＲＡＭ１０２にテキスト情報として記録される。また、図５に示す観察記録ボタンウィンドゥＷ３では、テクニカルボタンＷ３１２の上方に観察項目ボタンＷ３２０が表示されている。この観察項目ボタンＷ３２０にカーソルを合わせてクリックすると、図７に示すように、観察記録ボタンウィンドゥＷ３が表示されていた領域に、観察ポイントウィンドゥＷ４が出現し、観察ポイントウィンドゥＷ４に表示された（１）〜（９）の観察ポイントのいずれかにカーソルを合わせてクリックすると、クリックした観察ポイントの具体的内容がＲＡＭ１０２にテキスト情報として記録される。
【０１０３】
なお、専用入力キーボード３０の右下隅には、エンターキーＫ１２３も設けられているが、専用入力キーボード３０における、エンターキーＫ１２３以外の各種ボタンＫ１０１〜Ｋ１２２は、押下しただけで入力が確定されエンターキーＫ１２３の押下は不要である。エンターキーＫ１２３は、ノートパソコン１０のキーボード１３からの入力を確定する機能を有する。
【０１０４】
図８は、チェックボタンと音声ボタンの操作タイミングの例を示す図であり、図９は、チェックボタンと音声ボタンの操作タイミングの他の例を示す図である。
【０１０５】
図８にしても図９にしても、図の左から右に向かって時間は経過していく。また、いずれの例にしても、チェックボタンＷ３０１，Ｋ１０１が操作されると、ＲＡＭ１０２あるいはハードディスク１０３１の所定の記録領域に記録データが記録される記録可能状態になる。記録データは、表示画面１２１上の各ボタンをクリックしたり専用入力キーボード３０の各ボタンを押下したりする度に入力される、不連続な入力データである。図８にしても図９にしても、点線の矢印は、記録可能状態であることを示す。また、音声ボタンＷ３０４，Ｋ１０４が操作されると、音声データが記録され続ける音声記録状態になる。音声データは、音声ボタンＷ３０４，Ｋ１０４が操作されると、再び音声ボタンＷ３０４，Ｋ１０４が操作されるまで、所定時間の間、同じ記録領域に入力され続ける、一連の入力データである。すなわち、音声ボタンＷ３０４，Ｋ１０４が操作されると、音声記録開始信号が出力され、所定時間の間、次の音声記録開始信号が出力されるまで、音声データは同じ記録領域に入力され続ける。図８にしても図９にしても、一点鎖線の矢印は、音声記録状態であることを示す。
【０１０６】
図８（ａ）に示す例では、チェックボタンＷ３０１，Ｋ１０１が操作されてから、１５秒の入力待ち期間が経過する前に、音声ボタンＷ３０４，Ｋ１０４が操作される。この結果、所定時間の間（ここでは３０秒間）、記録データに関連付けて音声データが記録される。そして、所定時間が経過しても、チェックボタンＷ３０１，Ｋ１０１が操作されず、また音声ボタンＷ３０４，Ｋ１０４も操作されなければ、記録データは、引き続き、これまでと同じ記録領域に記録される。
【０１０７】
図８（ｂ）に示す例では、チェックボタンＷ３０１，Ｋ１０１が操作されてから、１５秒の入力待ち期間が経過する前に、音声ボタンＷ３０４，Ｋ１０４が操作される。この結果、まずは、第１テキスト記録領域に記録データが記録され、その第１テキスト記録領域のアドレスとリンクしたアドレスの第１音声記録領域に音声データが所定時間の間（３０秒間）記録される。そして、この所定時間が経過する前に、チェックボタンＷ３０１，Ｋ１０１が再度操作される。記録データは、チェックボタンＷ３０１，Ｋ１０１が再度操作された時点から記録領域が変更され、第２テキスト記録領域に記録されるようになる。一方、音声データは、所定時間が経過するまで、第１音声記録領域に記録され続ける。
【０１０８】
図８（ｃ）に示すように、チェックボタンＷ３０１，Ｋ１０１が操作されてから、１５秒の入力待ち期間が経過する前に、音声ボタンＷ３０４，Ｋ１０４ではなくチェックボタンＷ３０１，Ｋ１０１が再度操作されると、記録データは、チェックボタンＷ３０１，Ｋ１０１が再度操作された時点から記録領域が変更され、第２テキスト記録領域に記録される。
【０１０９】
図９（ａ）に示す例では、チェックボタンＷ３０１，Ｋ１０１が操作されてから、１５秒の入力待ち期間が経過する前に、音声ボタンＷ３０４，Ｋ１０４が操作されず、その入力待ち期間経過後に音声ボタンＷ３０４，Ｋ１０４が操作される。このように、入力待ち期間経過後に音声ボタンＷ３０４，Ｋ１０４が操作された場合は、記録データは、これまで記録されていた記録領域（ここでは第１テキスト記録領域）とは異なる新たな記録領域（第２テキスト記録領域）に記録される。音声データは、第２テキスト記録領域のアドレスとリンクしたアドレスの第２音声記録領域に記録される。すなわち、入力待ち期間を越えてから入力された音声データは、音声入力開始以後から入力された記録データと関連付けて記録される。
【０１１０】
図９（ｂ）に示す例では、チェックボタンＷ３０１，Ｋ１０１が操作されてから、１５秒の入力待ち期間が経過する前に、音声ボタンＷ３０４，Ｋ１０４が操作される。この結果、まずは、第１テキスト記録領域に記録データが記録され、その第１テキスト記録領域のアドレスとリンクしたアドレスの第１音声記録領域に音声データが所定時間の間（３０秒間）記録される。そして、この所定時間（３０秒間）が経過する前に、音声ボタンＷ３０４，Ｋ１０４が再度操作される。記録データは、音声ボタンＷ３０４，Ｋ１０４が再度操作された時点から記録領域が変更され、第２テキスト記録領域に記録されるようになる。音声ボタンＷ３０４，Ｋ１０４が再度操作された時点までの音声データは、第１音声記録領域に記録される（３０秒間より短い）。また、音声ボタンＷ３０４，Ｋ１０４が再度操作された時点以後の音声データは、第２テキスト記録領域のアドレスとリンクしたアドレスの新たな第２音声記録領域に記録されるようになる。すなわち、音声ボタンＷ３０４，Ｋ１０４が操作されると、音声記録開始信号がＣＰＵ１０１に入力される。ＣＰＵ１０１は、音声記録開始信号（以下、「第一の音声記録開始信号」という。）が入力されると、音声データ（以下、「第一の音声データ」という。）の記録を開始させ、所定時間の間、次の音声記録開始信号（以下、「第二の音声記録開始信号」という。）が入力されるまで、第一の音声データの記録を継続させる。第一の音声データの記録中に、第二の音声記録開始信号の入力があった場合には、第一の音声データの記録を終了させ、第二の音声記録開始信号の入力があってからの音声データ（以下、「第二の音声データ」という。）の記録を新たに開始させる。ＣＰＵ１０１は、第二の音声データの記録を新たに開始した以降に入力された記録データと、第二の音声データを関連付けて記録させる。
【０１１１】
図９（ｃ）に示す例では、チェックボタンＷ３０１，Ｋ１０１が操作されてから、１５秒の入力待ち期間が経過する前に、音声ボタンＷ３０４，Ｋ１０４が操作される。この結果、まずは、第１テキスト記録領域に記録データが記録され、その第１テキスト記録領域のアドレスとリンクしたアドレスの第１音声記録領域に音声データが所定時間の間（３０秒間）記録される。そして、この所定時間が経過する前に、チェックボタンＷ３０１，Ｋ１０１が再度操作される。記録データは、チェックボタンＷ３０１，Ｋ１０１が再度操作された時点から記録領域が変更され、第２テキスト記録領域に記録されるようになる。一方、音声データは、図８（ｂ）を用いて説明したように、所定時間が経過するまで、第１音声記録領域に記録され続ける。しかしこの例では、所定時間が経過する前に音声ボタンＷ３０４，Ｋ１０４が再度操作される。この場合には、音声ボタンＷ３０４，Ｋ１０４が再度操作された時点から音声データの記録領域が変更され、第２音声記録領域に記録されるようになる。すなわち、音声データも、第２テキスト記録領域のアドレスとリンクしたアドレスの新たな第２音声記録領域に、音声ボタンＷ３０４，Ｋ１０４が再度操作されてから３０秒間、記録される。
【０１１２】
続いて、記録モードにおける詳細チェックボックスＷ２０１にチェックを入れた場合や、編集モードや再生モードにおいてログウィンドゥＷ２に表示可能なログ表示について詳述する。
【０１１３】
図１０（ａ）は、表示画面に表示されたログ表示の一例を示す図である。
【０１１４】
ログ表示は、記録データに基づく情報を、同期ポイントを先頭に記録順に時系列に横一行ずつ表示したものである。以降の説明では、横一行の表示を、タイミング別情報の表示と称することがある。
【０１１５】
記録データに基づくに情報としては、関連付けられている音声データの有無を表す情報（「音符のマーク」）、現在記録している一連の事象を表す情報（「タスク」）、経過時間表示領域Ｗ１０８に表示された経過時間の情報（「時間」）、行動等の評価の情報（評価）、対象となる審判員の情報（「対象」）、審判員に対する指導の項目のジャンルを特定する情報（「項目」）、反則行為に関するイベントの情報（「イベント」）、位置情報（「場所」）、観察ポイントのテキスト情報（「指導内容」）、テキスト入力によるメモ情報（「メモ」）、およびランク付けを行った情報（「ランク」）があげられる。
【０１１６】
上述のごとく、「音符のマーク」の欄に表示された四角形の印は、音声データが記録されていることを表す音声表示である。例えば、記録データが一つ以上表示されている行の「音符のマーク」の欄に音声表示が表示されている場合（例えば、図１０（ａ）に示す上から５番目のタイミング別情報の表示の場合）には、そのタイミング別情報の記録データに関連付けられて音声データも記録されていることになる。すなわち、チェックボタンＷ３０１，Ｋ１０１が操作されてから次にチェックボタンＷ３０１，Ｋ１０１が操作されるまでの間、言い換えれば、チェックオン信号（記録開始信号）が入力されてから次のチェックオン信号（記録開始信号）が入力されるまでの間に入力された記録データに基づく情報が、その記録データに関連付けられた音声データも記録されている場合には、音声表示を含めて一行で表示される。
【０１１７】
また、音声表示がなされた行であっても、記録データが一つも記録されていない場合（例えば、図１０（ａ）に示す上から７番目のタイミング別情報の表示の場合）には、音声データだけが記録されており、記録された音声データは、記録データに関連付けられた音声データではないことになる。
【０１１８】
さらに、「音声メモ内容」は、記録されている音声データをデータ管理プログラムが自動的にテキスト化した情報である。このテキスト化は、音声データの記録が終了する度、すなわち音声ボタンＷ３０４，Ｋ１０４が操作されてから３０秒経過したタイミング、あるいは詳しくは後述する音声記録下限値である２秒以上あけて音声ボタンＷ３０４，Ｋ１０４が連続操作されたタイミングで、データ管理プログラム上のルーチン処理として実行される。
【０１１９】
「時間」の情報は、チェックボタンＷ３０１，Ｋ１０１が操作されたタイミングを表すタイミング情報、言い換えれば、チェックオン信号（記録開始信号）が入力された入力タイミングを表すタイミング情報に相当する。また、「評価」は、ボタンＷ３０５〜Ｗ３０７，Ｋ１０５〜Ｋ１０７の操作に基づく情報であり、各観察ポイントに対する評価にも使用される。「対象」は、ボタンＷ３０８〜Ｗ３１１，Ｋ１０９〜Ｋ１１２の操作に基づく情報であり、「項目」は、ボタンＷ３１２〜Ｗ３１６，Ｋ１１３〜Ｋ１１７の操作に基づく情報であり、「イベント」は、ボタンＷ３１７〜Ｗ３１９，Ｋ１１８〜Ｋ１２０の操作に基づく情報であり、「場所」は、サッカーグラウンドを模した画像Ｗ３００を用いて記録された位置情報である。
【０１２０】
さらに、「指導内容」には、図６に示す観察ポイント１ボタンＫ１２１や観察ポイント２ボタンＫ１２２、あるいは図５に示す観察記録ボタンウィンドゥＷ３が操作されて記録された観察ポイントの具体的内容が表示されている。
【０１２１】
「ランク」は、記録モードあるいは編集モードで入力あるいは訂正された情報である。この「ランク」は、記録情報の重要度や必要度等の順位である。また、「メモ」は、ノートパソコン１０のキーボード１３から、記録モードあるいは編集モードで入力あるいは訂正されたテキスト情報である。なお、「ランク」や「メモ」は、記録モード中（観察中）には時間がなく入力できない場合がほとんどであるが、本実施形態のデータ管理プログラム７０では、編集モードを設け、その編集モードで動画を見ながらゆっくりと入力や訂正を行うことができる。
【０１２２】
図１０（ｂ）は、「ランク」や「メモ」を入力する表示画面を示す図である。
【０１２３】
図１０（ｂ）に示す表示画面１２１は、編集モードにおける表示画面である。この表示画面１２１には、メモウィンドゥＷ５が表示されている。メモウィンドゥＷ５は、メニューバーにおける「表示」内に用意されたメモウィンドゥオープンを指定することにより開かれる。なお、メモウィンドゥＷ５は、設定モードにおいても開くことができる。
【０１２４】
メモウィンドゥＷ５には、ログウィンドゥＷ２内でタイミング別情報の表示を選択する選択ボタンＷ５０１と、「メモ」や「ランク」に入力する情報が一旦表示される入力領域Ｗ５０２と、既に入力されている内容を表示する表示領域Ｗ５０３が用意されている。この選択ボタンＷ５０１は、図４に示すデータ選択手段１０６４の一例に相当する。
【０１２５】
ランク付け（順位付け）では、記録したデータを振り返り、観察者の記憶の新鮮のうちに、指導するポイントの優先順位を付けることができる。この結果、例えば、長時間にわたる競技であっても、多量の記録の中から優先順位の高い指導ポイントを習得者へ的確に提示することができる。
【０１２６】
メモ入力では、メモ行追加ボタンＷ５０４をクリックしてから、ノートパソコン１０のキーボード１３を用いて入力を行う。一方、ランクを表す、二重丸印とバツ印の入力は、二重丸ランクボタンＷ５０５あるいはバツランクボタンＷ５０６にカーソルを合わせてクリックすることで行う。ランクは、二重丸印が数多く入力されている程、高く、反対にバツ印が数多く入力されている程、低い。二重丸ランクボタンＷ５０５およびバツランクボタンＷ５０６は、図４に示すランク入力手段１０６２の一例に相当する。また、クリアボタンＷ５０７も用意されており、一旦入力した二重丸印やバツ印を、クリアボタンＷ５０７をクリックすることで削除することができる。入力中の情報は、入力領域Ｗ５０２に一旦表示され、エンターキーＫ１２３の押下によって、入力が確定され、表示領域Ｗ５０３に移動する。図１０（ｂ）では、「時間」が「２：４５．７」の行における「ランク」として、二重丸印が３つ入力された様子が示されている。
【０１２７】
続いて、本実施形態のデータ管理プログラム７０のメイン処理について説明する。
【０１２８】
図１１は、図２に示すＣＰＵによって実行されるデータ管理プログラムのメイン処理の流れを示すフロチャートである。
【０１２９】
データ管理プログラムのメイン処理が起動されると、まずは、チェックオン信号が入力されたか否かを判定する（ステップＳ１０１）。チェックオン信号は記録開始信号に相当し、チェックボタンＷ３０１，Ｋ１０１が操作されることで入力される。チェックオン信号が未入力であれば、今度は、記録データが入力されたか否かを判定する（ステップＳ１０２）。記録データは、各種ボタンＷ３０２〜Ｗ３２０，Ｋ１０２〜Ｋ１２２が操作されることで入力される。記録データも未入力であれば、音声データの入力が開始されているか否かを判定する（ステップＳ１０３）。音声データの入力は、音声ボタンＷ３０４，Ｋ１０４が操作されることで開始される。音声データの入力が開始されていなければ、このメイン処理の終了操作が行われたか否かを判定し（ステップＳ１０４）、終了操作が行われていれば、タイマをクリアする（ステップＳ１０５）。このタイマは、ＲＡＭ１０２に設けられ、１５秒の入力待ち期間の経過をカウントするタイマである。ステップＳ１０５に続いて、ステップＳ１０６では、音声データの記録中であるか否かを判定し、音声データの記録中でなければ、このメイン処理を終了する。一方、音声データの記録中であれば、後述するステップＳ１２０に進む。
【０１３０】
ステップＳ１０１における判定でチェックオン信号が入力されていれば、上記タイマがオンであるか否かを判定する（ステップＳ１０７）。上記タイマがオン（カウント中）であれば、ステップＳ１０８で一旦、上記タイマをクリアし、続いて、ステップＳ１０９で上記タイマを再スタートさせ、ステップＳ１１０に進む。タイマのカウント中にチェックオン信号が入力される場合は、図８（ｂ）に示すように、チェックボタンＷ３０１，Ｋ１０１が既に一回操作された後、チェックボタンＷ３０１，Ｋ１０１が再度操作された場合に相当する。反対にタイマがオフ（停止中）であれば、ステップＳ１０９に進む。ステップＳ１１０では、新たな記録領域を確保して、開始時刻を記録する。すなわち、フォルダ内に新たなテキスト記録領域を作成し、チェックオン信号が入力された時刻をタイミング情報としてまずは記録する。ステップＳ１１０の実行が完了すると、ステップＳ１０１に戻る。
【０１３１】
また、ステップＳ１０２における判定で記録データが入力されていれば、ここでも、上記タイマがオンであるか否かを判定する（ステップＳ１１１）。ここでタイマがオン（カウント中）であれば、入力された記録データをＲＡＭ１０２にステップＳ１１０で設けられたテキスト記録領域に記録し（ステップＳ１１２）、ステップＳ１０１に戻る。反対に上記タイマがオフ（停止中）であれば、ステップＳ１０１に戻り、入力された記録データは記録されない。本実施形態では、上記タイマがカウント中、言い換えれば、チェックボタンＷ３０１，Ｋ１０１が操作された後でなければ、記録データの入力を受け付けない。
【０１３２】
さらに、ステップＳ１０３における判定で音声データが入力されていれば、ここでも、上記タイマがオンであるか否かを判定し（ステップＳ１１３）、タイマがオン（カウント中）であれば、そのタイマの計測時間（経過時間）が１５秒の入力待ち期間内であって、かつステップＳ１１０で設けられたテキスト記録領域に既に音声データが記録されていないか否かを判定する（ステップＳ１１４）。入力待ち期間内であって、かつ音声データが未記録であれば、現在、音声データの記録中であるか否かを判定し（ステップＳ１１５）、音声データの記録中でもなければ、上記テキスト記録領域のアドレスとリンクしたＲＡＭ１０２のアドレスの音声記録領域への音声データの記録を開始し（ステップＳ１１６）、ステップＳ１０１に戻る。ステップＳ１１６が実行されることで、例えば、図８（ａ）に示す例のように、記録データと音声データが互いに関連付けられてＲＡＭ１０２に記録される。一方、上記タイマがオフであれば、上記タイマをスタートさせ（ステップＳ１１７）、上記ステップＳ１１０と同じく、新たな記録領域を確保して、開始時刻を記録する（ステップＳ１１８）。ここでは、フォルダ内に新たなテキスト記録領域を作成し、音声データの入力が開始された時刻をタイミング情報として記録する。続いて、ステップＳ１１８で確保したテキスト記録領域のアドレスとリンクしたＲＡＭ１０２のアドレスの音声記録領域への音声データの記録を開始する（ステップＳ１１９）。本実施形態では、音声データは、音声ボタンＷ３０４，Ｋ１０４が操作されてから３０秒間記録される。すなわち、音声記録上限値は３０秒になる。音声データの記録が開始されると記録時間がカウントされ、ステップＳ１１９に続くステップＳ１２０では、記録時間が音声記録上限値に達したか否かを判定し、未達であれば音声データの記録を継続し（ステップＳ１２１）、達していれば音声データの記録を終了し（ステップＳ１２２）、いずれの場合もステップＳ１０１に戻る。
【０１３３】
また、ステップＳ１１４における判定で、入力待ち期間を経過している、あるいは音声データが既に記録されていれば、上記タイマをクリア（ステップＳ１２３）した上で、ステップＳ１１７に進み、タイマをスタートさせる。すなわち、本実施形態では、入力待ち期間を経過していた場合は、図９（ａ）に示すように、新たなテキスト記録領域のアドレスとリンクしたアドレスの音声記録領域に記録される。また、一つのテキスト記録領域には一つの音声データしか関連付けて記録することができず、音声データが既に記録されている場合にも、新たなテキスト記録領域のアドレスとリンクしたアドレスの音声記録領域に記録される。
【０１３４】
さらに、ステップＳ１１５における判定で、音声データの記録中であれば、記録時間が音声記録下限値を下回っているか否かを判定する（ステップＳ１２４）。本実施形態では、図９（ｂ）に示すように、チェックボタンＷ３０１，Ｋ１０１の操作無しに音声ボタンＷ３０４，Ｋ１０４が２回連続して操作されると、新たなテキスト記録領域のアドレスとリンクしたアドレスの音声記録領域に記録されるが、音声ボタンＷ３０４，Ｋ１０４の連続操作の誤操作を防止するため、音声記録下限値が設けられている。音声記録下限値は設定モードで変更が可能で、この例では２秒であるが、２秒に限られず、入力待ち期間よりも短い期間であればよい。記録時間がこの音声記録下限値を下回っている場合には、一回前の音声ボタンＷ３０４，Ｋ１０４の操作は誤操作とみなして、一回前の音声ボタンＷ３０４，Ｋ１０４の操作に基づいて記録した音声データを破棄（消去）し（ステップＳ１２５）、ステップＳ１１６に進み、今回の音声ボタンＷ３０４，Ｋ１０４の操作に基づく音声データの関連付け記録を新たに開始する。この時に関連付けられるテキスト記録領域は、ステップＳ１２５で破棄した音声データの記録領域が関連付けられていたテキスト記録領域と同じテキスト記録領域になる。一方、記録時間が音声記録下限値を越えていれば、一回前の音声ボタンＷ３０４，Ｋ１０４の操作に基づく音声データの記録を終了し（ステップＳ１２６）、上記タイマをクリアし（ステップＳ１２７）た上で、ステップＳ１１７に進み、タイマをスタートさせる。この結果、今回の音声ボタンＷ３０４，Ｋ１０４の操作に基づく音声データが、図９（ｂ）に示すように新たな音声記録領域（第２音声記録領域）に記録される。
【０１３５】
また、ステップＳ１０４における判定で、データ管理プログラムのメイン処理の終了操作が行われていない場合には、音声データの記録中であるか否かを判定し（ステップＳ１２８）、音声データの記録中でなければステップＳ１０１に戻り、反対に、音声データの記録中であれば、ステップＳ１２０に進み、音声記録上限値に達するまで音声データの記録が継続される。
【０１３６】
次に、動画同期処理について説明する。
【０１３７】
図１２は、本実施形態のデータ管理プログラムにおける動画同期処理のフローチャートを示す図である。
【０１３８】
この動画同期処理は、動画再生・ログ編集モードに設定されることで開始される。動画再生・ログ編集モードは、編集兼再生モードである。動画データは、記録カードに記録されている場合には、その記録カードを図２に示す記録メディア挿入口１０８１に挿入し、動画データ取込操作を行うことで、ノートパソコン１０内に動画データが取り込まれる。なお、動画データとして、前半の動画データ、後半の動画データ、延長前半の動画データ、延長後半の動画データ、およびＰＫの動画データといったように、複数の動画データを取り込んでおき、その中から選択して再生等することも可能である。
【０１３９】
動画同期処理では、まず、ログを表示する（ステップＳ２０１）。ここで表示されるログは、例えば、図１０（ａ）に示すログ表示である。例えば、指導者は、ログ表示を見ながら、再生を望む動画（ここでは、前半、後半、延長前半、延長後半、ＰＫといった各一連の事象）の同期ポイントを指定する。上述のごとく、同期ポイントは、ログ表示において各事象の先頭に表示されている。すなわち、「時間」の欄に「０．０」が表示されたタイミング別情報の表示が同期ポイントのログの表示になる。ここでは、ログ表示中の「時間」の欄に「０．０」として表示された所望の表示行にカーソルを合わせクリックし、ハイライト表示を行うことで同期ポイントの指定操作がなされたことになる。ログ表示中におけるタイミング別情報の表示の指定を行うポインティングデバイス１４も、図４に示すデータ選択手段１０６４の一例に相当する。動画同期処理では、同期ポイントの指定操作が行われたか否かを判定し（ステップＳ２０２）、行われていない場合には、終了操作が行われた否かを判定し（ステップＳ２０３）、終了操作が行われていれば、この動画同期処理を終了する。一方、終了操作も行われていなければ、ステップＳ２０２に戻る。反対に、同期ポイントの指定操作が行われた場合には、動画再生ウィンドゥを開き（ステップＳ２０４）、再生が望まれた事象の動画（例えば、前半の動画）の再生を行う（ステップＳ２０５）。動画は、同期ポイントよりも前から撮影されていることが多く、同期ポイントの場面になるまで動画は再生され（ステップＳ２０６とステップＳ２０５の繰り返し）、同期ポイントの場面で再生が一旦停止される。ここにいう同期ポイントの場面とは、事象開始の場面（例えば、前半開始の笛が吹かれた場面）である。同期ポイントの場面で所定の同期操作を行うことにより、同期ポイント以後の記録データの時刻と動画の再生時刻を関連付ける時刻関連付け処理（ステップＳ２０７）が実行される。
【０１４０】
図１３は、時刻関連付け処理が行われる前と後の表示画面の様子を示す図である。
【０１４１】
図１３に示す表示画面１２１の右側には、ステップＳ２０４で開かれた動画再生ウィンドゥＷ６が表示されており、その動画再生ウィンドゥＷ６では、前半開始の笛が吹かれた場面が表示されている。
【０１４２】
また、図１３に示す表示画面１２１の左側、すなわち動画再生ウィンドゥＷ６の左横には、ログウィンドゥＷ２が表示されている。図１３に示すログウィンドゥＷ２は、拡大表示されている。
【０１４３】
動画再生ウィンドゥＷ６が開かれると、図１０（ａ）に示すログ表示における左端の音符のマークが記された欄と、「タスク」の欄との間に、「再生時間」の欄が追加される。
【０１４４】
図１３（ａ）は、ステップＳ２０７の時刻関連付け処理が行われる直前の表示画面を示す図であり、ログ表示における「再生時間」はいずれのタイミング別情報の表示においても「０．０」である。この表示画面１２１では、ログ表示における「時間」の欄に「０．０」として表示されたタイミング別情報の表示がハイライト表示され、同期ポイントの指定操作が完了している。動画再生ウィンドゥＷ６には、同期ポイントの少し前からの動画が表示され、さらに、同期ポイントの指定操作が完了した状態からポインティングデバイス１４における右クリックが行われ、選択ウィンドゥＷ２１が表示されている。この選択ウィンドゥＷ２１の最下部には「全ログの時間調整」の表示Ｗ２１１がなされており、この「全ログの時間調整」の表示Ｗ２１１にカーソルを合わせ、動画再生ウィンドゥＷ６に、前半開始の笛が吹かれた場面が表示されるのと同時にクリックすることで、所定の同期操作が行われ、ステップＳ２０７の時刻関連付け処理が実行される。「全ログの時間調整」の表示Ｗ２１１は、図４に示す同期付け手段１０６３の一例に相当する。なお、動画再生ウィンドゥＷ６では、前半開始の笛が吹かれた場面で再生の一時停止が行われ、タイミング合わせを行いやすいようになっている。
【０１４５】
図１３（ｂ）は、ステップＳ２０７の時刻関連付け処理が完了した直後の表示画面を示す図であり、ログ表示における「再生時間」は、上３つ分は「０．０」のままであるが、上から４つ目は「４．９秒」に変更され、以降、時間経過に応じた値に変更されている。なお、上から４つ目の「時間」は、「０．０秒」のままである。
【０１４６】
図１３に示すログ表示では、前半開始の５６．９秒前から記録データの記録を開始し、前半の動画は、前半開始の４．９秒前から撮影が開始されていたことになる。
【０１４７】
以上説明した、ステップＳ２０７の時刻関連付け処理は、同期ポイントも含めて時系列にタイミング別情報を並べたログ表示と、同期ポイントの場面が撮影されている動画の動画表示とを、ログ表示における同期ポイントと該動画表示の動画における同期ポイントを同期させて表示させる処理に相当する。
【０１４８】
図１２に示す動画同期処理では、ステップＳ２０７の時刻関連付け処理に続いて、同期表示処理（ステップＳ２０８）が実行され、次いで、ログ表示されているタイミング別情報の中に、「時間」の情報が「０．０」として記録されているタイミング別情報、すなわち、次の同期ポイント（例えば、後半開始の同期ポイント）があるか否かを判定し（ステップＳ２０９）、ある場合には、ステップＳ２０２に戻り、なければ、この動画同期処理を終了する。
【０１４９】
図１４は、図１２に示すステップＳ２０８の同期表示処理の流れを示すフローチャートである。
【０１５０】
図１３に示すように、動画再生・ログ編集モードにおけるログウィンドゥＷ２の下部には、前半動画選択ボタンＷ２０５、後半動画選択ボタンＷ２０６、延長動画選択ボタンＷ２０７が表示されている。これらのボタンＷ２０５〜Ｗ２０７は、それぞれの事象の動画が取り込まれている場合に表示され、前半動画選択ボタンＷ２０５にカーソルを合わせてクリックすると前半の動画が指定され、後半動画選択ボタンＷ２０６にカーソルを合わせてクリックすると後半の動画が指定される。また、延長前半、延長後半、ＰＫの動画は各事象の間の時間が短いことから連続して撮影されることが多く、延長動画選択ボタンＷ２０７にカーソルを合わせてクリックすると、延長前半以降の動画が指定される。なお、それぞれの事象の動画が取り込まれていなくても各ボタンＷ２０５〜Ｗ２０６を一律に表示するようにして、取り込まれていない動画が指定された場合には、その指定を無効にするようにしてもよい。また、延長動画選択ボタンＷ２０７は、延長前後半動画選択ボタンとＰＫ動画選択ボタンとに分けて表示してもよいし、延長前半動画選択ボタン、延長後半動画選択ボタン、およびＰＫ動画選択ボタンとに分けて表示してもよい。
【０１５１】
同期表示処理におけるステップＳ２０８ａでは、まず、この動画指定操作が行われたか否かを判定し、行われた場合には、指定された動画の再生を行う（ステップＳ２０８ｂ）。一方、動画指定操作が行われていない場合には、ログウィンドゥＷ２のログ表示に示されたタイミング別情報の表示のいずれかが指定されているか否かを判定する（ステップＳ２０８ｃ）。ここでは、ログ表示中のタイミング別情報の表示をクリックしてハイライト表示させることで指定されたことになる。指定されていない場合には、終了操作が行われた否かを判定し（ステップＳ２０８ｄ）、終了操作が行われていれば、この同期表示処理を終了する。一方、終了操作も行われていなければ、現在、動画を再生中か否かを判定し（ステップＳ２０８ｅ）、再生中であれば、再生中の動画を継続再生するためにステップＳ２０８ｂへ進み、再生中でなければステップＳ２０８ａに戻る。
【０１５２】
タイミング別情報の表示が指定された場合には、指定されたタイミング別情報の表示が属する事象が、図１２に示すステップＳ２０７の時刻関連付け処理が行われた事象であるか否かを判定し（ステップＳ２０８ｆ）、時刻関連付け処理が行われた事象であれば、取り込まれた動画データの中から、指定されたタイミング別情報の表示に関連付けられた再生時間の動画フレームを検索し（ステップＳ２０８ｇ）、その動画フレームの何秒前から再生を開始するかを決定する（ステップＳ２０８ｈ）。
【０１５３】
図１３に示すように、動画再生・ログ編集モードにおけるログウィンドゥＷ２の右上には、再生開始タイミング設定領域Ｗ２０８が表示されている。この再生開始タイミング設定領域Ｗ２０８では、指定されたタイミング別情報の表示に関連付けられた再生時間の動画フレームの何秒前から再生を開始するかを設定することができ、図１３に示す例では、１０秒前から再生を開始することが設定されている。ステップＳ２０８ｈでは、再生開始タイミング設定領域Ｗ２０８に設定されたタイミングに再生開始タイミングを決定し、ステップＳ２０８ｂでは、その再生開始タイミングから動画の再生を開始する。
【０１５４】
ステップＳ２０８ｂに続くステップＳ２０８ｉでは、現在再生中の動画の事象が、図１２に示すステップＳ２０７の時刻関連付け処理が行われた事象であるか否かを判定し、そうであれば、これから再生する動画フレームの再生時間に最も近い未再生の時間のタイミング別情報の表示をハイライト表示し（ステップＳ２０８ｊ）、ステップＳ２０８ａに戻る。図１３（ｂ）に示す表示画面１２１を例に説明すると、再生時間が４分４５秒の動画フレームをこれから再生する場合は、「再生時間」が４分４８．４秒のタイミング別情報の表示がハイライト表示され、ハイライト表示されたタイミング別情報の「再生時間」の動画フレームが再生されると、次のタイミング別情報の表示（ここでは「再生時間」が５分００．９秒のタイミング別情報の表示）がハイライト表示される。
【０１５５】
以上説明した図１４に示すステップＳ２０８ｇ→ステップＳ２０８ｈ→ステップＳ２０８ｂの処理や、ステップＳ２０８ｊの処理は、複数の同期ポイントも含めて時系列にタイミング別情報が並べられたログ表示と、複数の同期ポイントそれぞれの場面が撮影されている複数の動画のうちの少なくとも一つの動画の動画表示とを、ログ表示における同期ポイントと動画表示の動画における同期ポイントを同期させて表示させる処理に相当する。
【０１５６】
なお、動画として、試合の全体を撮影した全体動画と、審判員やボールにズームして撮影した拡大動画とを撮影しておき、両動画を、選択操作に応じて切り替えて表示するようにしてもよいし、２ウィンドゥを用いて同時に表示するようにしてもよい。すなわち、撮影時間が同じになる複数の動画を切り替えもしくは同時に表示するようにしてもよい。この場合、撮影時刻が同じ動画フレームどうしを同期させ、再生時刻を一致させて複数動画を表示するようにする。ここにいう複数の動画としては、異なるアングルから撮影した複数の動画であってもよいし、ズームアップした映像と俯瞰映像であってもよい。こうすることで、複数の動画を１つのファイルとして扱い、記録データをもとに、関連する複数の動画を同時に再生することができる。また、サッカーのように審判員の移動が激しいスポーツ等の指導においては、複数視点からの映像が提供され、位置情報を交えた指導を行うことができるため、指導を受ける者の理解が促される。
【０１５７】
以上説明した本実施形態のデータ管理プログラム７０およびデータ管理装置１によれば、行動観察記録を行う際に、観察対象の予想される行動や状況、観察者の評価コメントを表示画面上にボタンとして設定しておき、記録者がボタンを操作すれば観察対象の行動及び評価を時間データとともに記録することができる。
【０１５８】
また、本実施形態のデータ管理プログラム７０およびデータ管理装置１によれば、音声とテキスト情報を関連づけてまとめて記録することができる。すなわち、指導者が習得者の動きを観察する際に、指導が必要なタイミングで発した音声をテキスト情報と関連付けて記録できる。このため、指導者が感じたことや、予想外の行動や事態、それに対するコメントを音声によって記録することができるため、記録中の指導者への負担が少なく、メモの記載漏れや時間の経過に伴って記憶が曖昧になってしまい指導ポイントの記録漏れが生じることを抑えることができる。
【０１５９】
さらに、本実施形態のデータ管理プログラム７０およびデータ管理装置１では、表示画面にタイミング別情報の表示が時系列に表示され、時間と手間をかけずに指導を必要とする箇所を探し出すことができる。しかも、記録データ（タイミング別情報）の中には、音声データが関連付けて記録されているものがあり、いずれの記録データ（タイミング別情報）が音声データが関連付けて記録されているものかは音声表示によって一目瞭然である。
【０１６０】
加えて、本実施形態のデータ管理プログラム７０およびデータ管理装置１によれば、記録した指導ポイントと複数の映像を時間情報に基づいて関連付けて習得者に提示することにより、習得者が指導内容を理解しやすくなり、技能の上達が促される。また、高度な技術を要求される医療分野、スポーツ競技、伝統技巧の技能指導や伝承が容易となる。さらに、伝統技術は十分な記録が残っていない場合も多いが、本実施形態のデータ管理プログラム７０およびデータ管理装置１を利用すれば、技能者が有するノウハウを記録として保存し、後世に残していくこともできる。
【０１６１】
以上、サッカーの審判員の育成指導を例にあげて説明したが、本発明のデータ管理プログラム７０およびデータ管理装置１は、指導において指導者と学習者の間の意思疎通や理解を容易にする情報処理システムに広く適用することができる。特に、スポーツ競技の選手や審判員、複雑な加工技術を操る熟練作業員や、手術を執刀する外科医など、高度な技能を要求される者に対する、経験者や上級者による指導において有効なツールの一つになる。
【符号の説明】
【０１６２】
１    データ管理装置
１０    ノートパソコン
１１    本体部
１０１    ＣＰＵ
１０２    ＲＡＭ
１０３    ハードディスクコントローラ
１０４    ディスプレイコントローラ
１０５    サウンドコントローラ
１０６    キーボードコントローラ
１０７    ポインティングデバイスコントローラ
１０８    ＣＤ／ＤＶＤ−ＲＯＭドライバ
１０９    記録メディアドライバ
１１０    ＵＳＢホストコントローラ
１１１    各種通信ボード
１００    バス
１０００    処理部
１０１０    制御手段
１０１１    記録制御手段
１０１２    表示制御手段
１０２０    記録手段
１０４０    表示手段
１０６０    操作手段
１０６１    チェック入力手段
１０６２    ランク入力手段
１０６３    同期付け手段
１０６４    データ選択手段
１０９０    音声入力手段
１２    画像表示部
１２１    表示画面
１３    キーボード
１４    ポインティングデバイス
１５１，１５２    スピーカ
１５４    マイクロフォンジャック
２０    マイクロフォン
３０    専用入力キーボード
５    ビデオカメラ
７０    データ管理プログラム
７１    記録制御手段
７２    表示制御手段
Ｗ１    試合情報表示ウィンドゥ
Ｗ２    ログウィンドゥ
Ｗ３    観察記録ボタンウィンドゥ
Ｗ４    観察ポイントウィンドゥ
Ｗ５    メモウィンドゥ
Ｗ６    動画再生ウィンドゥ
Ｗ３０１，Ｋ１０１    チェックボタン
Ｗ３０４，Ｋ１０４    音声ボタン
【図３】
2016058112.tif 000003
【図４】
2016058112.tif 000004
【図６】
2016058112.tif 000005
【図８】
2016058112.tif 000006
【図９】
2016058112.tif 000007
【図１１】
2016058112.tif 000008
【図１２】
2016058112.tif 000009
【図１】
2016058112.tif 000010
【図２】
2016058112.tif 000011
【図５】
2016058112.tif 000012
【図７】
2016058112.tif 000013
【図１０】
2016058112.tif 000014
【図１３】
2016058112.tif 000015
【図１４】
2016058112.tif 000016